(57)【要約】【課題】止着部の合計面積を小さくしつつ、止着テープの重ね止めの際に、上に重なる止着テープを前方部に容易に止着する。【解決手段】使い捨ておむつの左右両側の第１止着テープ４１ａおよび第２止着テープ４１ｂはそれぞれ、互いに離間する第１止着部４１１および第２止着部４１２を備える。使い捨ておむつが痩せ型の着用者に対して装着される際には、第２止着テープ４１ｂが第１止着テープ４１ａを跨ぐように本体部の被止着部に止着される。第２止着テープ４１ｂでは、第１止着部４１１と第２止着部４１２との間に中間領域４１５を設けることにより、止着部の合計面積を小さくすることができる。また、第１止着部４１１の外エッジと第２止着部４１２の内エッジとの間の距離を、第１止着テープ４１ａの中間領域４１５におけるテープ基部の幅よりも大きくすることにより、第２止着テープ４１ｂを容易に止着することができる。【選択図】図６
2011147711.tif 000002
【特許請求の範囲】
【請求項１】
使い捨ておむつであって、
前方部、股下部および後方部を長手方向に順に有する略シート状の本体部と、
前記後方部の両側部に取り付けられ、前記前方部の外面に止着されることにより、前記両側部を前記前方部の両側部に接続する一対の接続部と、
を備え、
前記一対の接続部のそれぞれが、前記長手方向に配列されて左右方向に伸びる２つの止着テープを備え、
前記２つの止着テープのそれぞれが、
テープ状のテープ基部と、
前記テープ基部を横断するように前記テープ基部の内面上に設けられ、前記前方部の前記外面に対して止着可能な第１止着部と、
前記第１止着部から前記本体部側に離間して前記テープ基部を横断するように前記内面上に設けられ、前記前方部の前記外面に対して止着可能な第２止着部と、
を備え、
一方の止着テープにおける、前記第１止着部の前記テープ基部の先端側のエッジと前記第２止着部の前記本体部側のエッジとの間の距離が、他方の止着テープにおける、前記第１止着部と前記第２止着部との間における前記テープ基部の幅よりも大きいことを特徴とする使い捨ておむつ。
【請求項２】
請求項１に記載の使い捨ておむつであって、
前記一方の止着テープにおける、前記第１止着部と前記第２止着部との間の領域の前記左右方向の長さが、前記他方の止着テープにおける、前記第１止着部と前記第２止着部との間の前記テープ基部の前記幅の２５％以上であることを特徴とする使い捨ておむつ。
【請求項３】
請求項２に記載の使い捨ておむつであって、
前記一方の止着テープにおける、前記第１止着部と前記第２止着部との間の領域の前記左右方向の長さが、前記他方の止着テープにおける、前記第１止着部と前記第２止着部との間の前記テープ基部の前記幅以上であることを特徴とする使い捨ておむつ。
【請求項４】
請求項１ないし３のいずれかに記載の使い捨ておむつであって、
前記２つの止着テープのそれぞれの幅が、前記テープ基部の先端に向かうに従って漸次減少することを特徴とする使い捨ておむつ。
【請求項５】
請求項１ないし４のいずれかに記載の使い捨ておむつであって、
前記第１止着部の前記前方部に対する止着強度が、前記第２止着部の前記前方部に対する止着強度よりも大きいことを特徴とする使い捨ておむつ。
【請求項６】
請求項１ないし５のいずれかに記載の使い捨ておむつであって、
前記一対の接続部のそれぞれにおいて、前記２つの止着テープの２つのテープ基部が、前記本体部側にて連続する１つのシートの一部であり、
前記２つの止着テープの前記第２止着部が、前記１つのシートの前記２つのテープ基部の接続部分よりも前記左右方向の外側に位置することを特徴とする使い捨ておむつ。
【請求項７】
請求項１ないし５のいずれかに記載の使い捨ておむつであって、
前記一対の接続部のそれぞれにおいて、前記２つの止着テープの２つのテープ基部が、前記本体部側にて連続する１つのシートの一部であり、
前記１つのシートの前記２つのテープ基部の接続部分が、前記本体部の側方のエッジから側方へとはみ出していることを特徴とする使い捨ておむつ。
【請求項８】
請求項１ないし７のいずれかに記載の使い捨ておむつであって、
互いに係合する微細フック構造および微細ループ構造のうち一方が前記本体部の前記前方部に設けられ、他方が前記第１止着部および前記第２止着部のそれぞれに設けられることを特徴とする使い捨ておむつ。
【請求項９】
請求項１ないし８のいずれかに記載の使い捨ておむつであって、
前記２つの止着テープのそれぞれにおいて、前記テープ基部の外面から前記第１止着部および前記第２止着部の位置が視認可能であることを特徴とする使い捨ておむつ。
【発明の詳細な説明】
【技術分野】
【０００１】
本発明は、使い捨ておむつに関する。
【背景技術】
【０００２】
従来より、着用者からの排泄物を受ける使い捨ておむつの一つとして、着用者の腹側に接する部位と背側に接する部位とを止着テープにより腰周りで止着して着用するテープタイプのものが利用されている。例えば、特許文献１では、背側部の左右両側部にてバックシートに貼着された一対のファスニングテープを、腹側部のバックシート上に設けられたランディングテープに止着する使い捨ておむつが開示されている。各ファスニングテープのテープ本体上には、複数の機械的ファスナの凸部材が左右方向に配列されており、これらの凸部材が機械的ファスナの凹部材であるランディングテープに剥離可能に止着される。
【０００３】
特許文献２の使い捨ておむつでは、後胴周り域の左右両側に設けられた一対のリアウイングにフック部材が設けられており、当該フック部材が前胴周り域の外面に設けられたループ部材に剥離可能に止着される。当該使い捨ておむつでは、フック部材は、互いに分離独立した複数のフック集合体からなる。
【０００４】
特許文献３では、吸収性物品本体の背側腰周り部の左右両側部に、それぞれ２つのテープ状ファスナが上下方向に間隔をおいて配置される使い捨て吸収性物品が開示されている。各テープ状ファスナの内面には、腹側腰周り部の外面に設けられたループファスナのループ部材と係合する１つのフック部材が設けられ、各テープ状ファスナの外面には、当該フック部材と係合可能なループ部材が設けられる。
【０００５】
特許文献３では、左右の各側部において、上側のテープ状ファスナのフック部材を腹側腰周り部のループファスナのループ部材に係合し、下側のテープ状ファスナのフック部材を上側のテープ状ファスナの外面に設けられたループ部材に係合させることにより、吸収性物品を着用者の体型に合わせて装着することが提案されている。また、左右両側部のうち一方に設けられたテープ状ファスナのフック部材をループファスナのループ部材に係合し、他方に設けられたテープ状ファスナのフック部材を上記一方のテープ状ファスナの外面に設けられたループ部材に係合させることにより、吸収性物品を着用者の体型に合わせて装着することも提案されている。
【先行技術文献】
【特許文献】
【０００６】
【特許文献１】特開平１０−２８７０３号公報
【特許文献２】特開２００４−３４４５１４号公報
【特許文献３】特開２００８−６７８３１号公報
【発明の概要】
【発明が解決しようとする課題】
【０００７】
ところで、特許文献１の使い捨ておむつでは、痩せ型の着用者に使い捨ておむつを装着する際等に、ファスニングテープをどのように腹側部に止着するかについて考慮されていない（特許文献２においても同様）。また、特許文献３では、着用者の体型に合わせてテープ状ファスナを重ねて止着することが提案されているが、各テープ状ファスナの外面にループ部材を設け、内面に当該ループ部材に係合するフック部材を設ける必要があるため、吸収性物品の製造が複雑化するとともにフック部材の使用量が増大してしまう。
【０００８】
本発明は、上記課題に鑑みなされたものであり、止着部の合計面積を小さくしつつ、止着テープの重ね止めの際に、上に重なる止着テープを前方部に容易に止着することを目的としている。
【課題を解決するための手段】
【０００９】
請求項１に記載の発明は、使い捨ておむつであって、前方部、股下部および後方部を長手方向に順に有する略シート状の本体部と、前記後方部の両側部に取り付けられ、前記前方部の外面に止着されることにより、前記両側部を前記前方部の両側部に接続する一対の接続部とを備え、前記一対の接続部のそれぞれが、前記長手方向に配列されて左右方向に伸びる２つの止着テープを備え、前記２つの止着テープのそれぞれが、テープ状のテープ基部と、前記テープ基部を横断するように前記テープ基部の内面上に設けられ、前記前方部の前記外面に対して止着可能な第１止着部と、前記第１止着部から前記本体部側に離間して前記テープ基部を横断するように前記内面上に設けられ、前記前方部の前記外面に対して止着可能な第２止着部とを備え、一方の止着テープにおける、前記第１止着部の前記テープ基部の先端側のエッジと前記第２止着部の前記本体部側のエッジとの間の距離が、他方の止着テープにおける、前記第１止着部と前記第２止着部との間における前記テープ基部の幅よりも大きい。
【００１０】
請求項２に記載の発明は、請求項１に記載の使い捨ておむつであって、前記一方の止着テープにおける、前記第１止着部と前記第２止着部との間の領域の前記左右方向の長さが、前記他方の止着テープにおける、前記第１止着部と前記第２止着部との間の前記テープ基部の前記幅の２５％以上である。
【００１１】
請求項３に記載の発明は、請求項２に記載の使い捨ておむつであって、前記一方の止着テープにおける、前記第１止着部と前記第２止着部との間の領域の前記左右方向の長さが、前記他方の止着テープにおける、前記第１止着部と前記第２止着部との間の前記テープ基部の前記幅以上である。
【００１２】
請求項４に記載の発明は、請求項１ないし３のいずれかに記載の使い捨ておむつであって、前記２つの止着テープのそれぞれの幅が、前記テープ基部の先端に向かうに従って漸次減少する。
【００１３】
請求項５に記載の発明は、請求項１ないし４のいずれかに記載の使い捨ておむつであって、前記第１止着部の前記前方部に対する止着強度が、前記第２止着部の前記前方部に対する止着強度よりも大きい。
【００１４】
請求項６に記載の発明は、請求項１ないし５のいずれかに記載の使い捨ておむつであって、前記一対の接続部のそれぞれにおいて、前記２つの止着テープの２つのテープ基部が、前記本体部側にて連続する１つのシートの一部であり、前記２つの止着テープの前記第２止着部が、前記１つのシートの前記２つのテープ基部の接続部分よりも前記左右方向の外側に位置する。
【００１５】
請求項７に記載の発明は、請求項１ないし５のいずれかに記載の使い捨ておむつであって、前記一対の接続部のそれぞれにおいて、前記２つの止着テープの２つのテープ基部が、前記本体部側にて連続する１つのシートの一部であり、前記１つのシートの前記２つのテープ基部の接続部分が、前記本体部の側方のエッジから側方へとはみ出している。
【００１６】
請求項８に記載の発明は、請求項１ないし７のいずれかに記載の使い捨ておむつであって、互いに係合する微細フック構造および微細ループ構造のうち一方が前記本体部の前記前方部に設けられ、他方が前記第１止着部および前記第２止着部のそれぞれに設けられる。
【００１７】
請求項９に記載の発明は、請求項１ないし８のいずれかに記載の使い捨ておむつであって、前記２つの止着テープのそれぞれにおいて、前記テープ基部の外面から前記第１止着部および前記第２止着部の位置が視認可能である。
【発明の効果】
【００１８】
本発明では、止着部の合計面積を小さくしつつ、止着テープの重ね止めの際に、上に重なる止着テープを前方部に容易に止着することができる。
【図面の簡単な説明】
【００１９】
【図１】一の実施の形態に係る使い捨ておむつの平面図である。
【図２】使い捨ておむつの断面図である。
【図３】使い捨ておむつの斜視図である。
【図４】接続部近傍の拡大図である。
【図５】使い捨ておむつの斜視図である。
【図６】接続部近傍の拡大図である。
【発明を実施するための形態】
【００２０】
図１は、本発明の一の実施の形態に係る使い捨ておむつ１を広げた状態にて示す平面図である。使い捨ておむつ１は、着用者の腹側に当接する部位と背側に当接する部位とを、左右両側の接続部４により腰周りで止着して着用するテープタイプの使い捨ておむつであり、着用者からの排泄物を受ける。図１では、着用時に着用者に接する側（すなわち、着用者側）の面を手前にして使い捨ておむつ１を描いている。
【００２１】
図２は、使い捨ておむつ１を図１中に示すＡ−Ａの位置で長手方向（すなわち、図１中における上下方向）に垂直な面で切断した断面図である。図１および図２に示すように、使い捨ておむつ１は、略シート状の本体部２、および、本体部２の両側部（すなわち、長手方向に垂直な左右方向の両側）上に配置されて本体部２の長手方向のおよそ全長に亘る一対のサイドシート３を備える。
【００２２】
本体部２の図１中における上側の部位２０１および下側の部位２０３はそれぞれ、着用者の腹側および背側の肌に接する部位であり、以下の説明では、「前方部２０１」および「後方部２０３」と呼ぶ。また、前方部２０１と後方部２０３との間において前方部２０１および後方部２０３から連続するとともに着用者の股間部に対向する部位２０２を「股下部２０２」と呼ぶ。使い捨ておむつ１では、本体部２が前方部２０１、股下部２０２および後方部２０３を長手方向に順に有し、前方部２０１および後方部２０３の幅が、股下部２０２の幅よりも大きい。
【００２３】
使い捨ておむつ１は、後方部２０３の両側部に取り付けられた一対の接続部４をさらに備える。使い捨ておむつ１が着用者に装着される際には、本体部２の前方部２０１および後方部２０３をそれぞれ着用者の腹側および背側に当接させた状態で、一対の接続部４が、図３に示すように、前方部２０１の外面（すなわち、着用者に接する面とは反対側の面）の被止着部２６に止着されることにより、後方部２０３の両側部が前方部２０１の両側部に接続される。
【００２４】
図１および図２に示すように、本体部２は、透液性のトップシート２１、撥水性または不透液性のバックシート２３、および、トップシート２１とバックシート２３との間に配置された吸収コア２２を備える。図２では、図示の都合上、使い捨ておむつ１の各構成を厚さ方向に離して描いている。また、図１では、図の理解を容易にするために、吸収コア２２の輪郭を太破線にて描いている。図１に示すように、前方部２０１および後方部２０３における吸収コア２２の幅は、股下部２０２における吸収コア２２の幅よりも大きい。換言すれば、吸収コア２２は、いわゆる砂時計型とされる。
【００２５】
図３に示す被止着部２６は、バックシート２３の外面（すなわち、吸収コア２２と対向する面とは反対側の面）上に、平面視において吸収コア２２（図１および図２参照）と重なるように接合される。被止着部２６は、バックシート２３上にホットメルト接着剤等により接合される面ファスナのループ部材であり、樹脂等により形成されたベースシート、および、ベースシートのバックシート２３に接合される面とは反対側の面に設けられる微細ループ構造を備える。微細ループ構造とは、多数の微細なループ要素の集合を意味する。
【００２６】
図２に示すように、トップシート２１は、吸収コア２２の周りにおいてホットメルト接着剤を介してバックシート２３に接合される。また、サイドシート３の左右方向の外側の部位は、バックシート２３のトップシート２１から露出する部位、および、トップシート２１の左右方向のエッジ近傍の部位に、長手方向の全長に亘ってホットメルト接着剤を介して接合される。サイドシート３は、サイドシート本体３１、および、サイドシート本体３１の左右方向の内縁部である自由端にホットメルト接着剤により接合されて長手方向に伸びる弾性部材３２ａを備える。
【００２７】
図１に示す本体部２の長手方向の両端部では、各サイドシート３の左右方向の内側の部位（すなわち、本体部２の左右方向の中心軸側の部位）が、トップシート２１の着用者側の面にホットメルト接着剤を介して接合される。また、本体部２の股下部２０２では、サイドシート３の左右方向の外縁近傍の部位において、長手方向に伸びる２本の弾性部材３２ｂが、サイドシート３とバックシート２３とに挟まれてホットメルト接着剤により接合されている。これらのホットメルト接着剤としては、ポリオレフィン系、ゴム系、酢酸ビニル系等のものが利用される。なお、トップシート２１とバックシート２３との接合やサイドシート３とトップシート２１との接合は、熱融着接合や超音波接合等により行われてもよい。
【００２８】
図１および図２に示す各サイドシート３では、サイドシート本体３１の長手方向の両端部の間（すなわち、長手方向の中央部）における内側の部位３１３が、トップシート２１（および他の構成）とは非接合とされており、弾性部材３２ａが収縮することにより、当該部位３１３が、図２に示すように、着用者に向かって立ち上がり、着用者の脚の付け根近傍に当接する側壁部（いわゆる、立体ギャザー）となる。また、弾性部材３２ｂが収縮することにより、サイドシート３およびバックシート２３が着用者側かつ内側に向かって立ち上がってレッグギャザーが形成され、使い捨ておむつ１の着用時に着用者の足の付け根近傍に密着する。
【００２９】
図１に示すように、本体部２の長手方向の両端部にはそれぞれ、トップシート２１とバックシート２３とに挟まれるとともに左右方向に伸びる３本の弾性部材２５が設けられる。使い捨ておむつ１では、伸張状態にてトップシート２１およびバックシート２３に接合された弾性部材２５が収縮することによりウエストギャザーが形成され、使い捨ておむつ１の着用時に本体部２が着用者の腰周りに密着する。使い捨ておむつ１では、弾性部材３２ａ，３２ｂ、並びに、弾性部材２５により本体部２が着用者に密着することにより、脚周りおよび腰周りからの尿等の漏出が防止される。
【００３０】
トップシート２１は、透液性のシート材料であり、着用者からの排泄物の水分を速やかに捕捉して吸収コア２２へと移動させる。トップシート２１は、例えば、表面を界面活性剤により親水処理した疎水性繊維（例えば、ポリプロピレン、ポリエチレン、ポリエステル、ポリアミド、ナイロン）にて形成された透液性の不織布であり、当該不織布として、例えば、ポイントボンド不織布やエアスルー不織布、スパンレース不織布、スパンボンド不織布が利用される。なお、トップシート２１として、セルロースやレーヨン、コットン等の親水性繊維により形成された不織布が利用されてもよい。
【００３１】
吸収コア２２は、粉砕したパルプ繊維やセルロース繊維等の親水性繊維に粒状の高吸収性ポリマー（ＳＡＰ（Super Absorbent Polymer））や高吸収性ファイバー等の高吸収性材料を混合したものをティッシュペーパーや透液性不織布等により包み込んで形成され、トップシート２１を透過した水分を吸収して迅速に固定する。親水性繊維を包むティッシュペーパーや透液性不織布等は、親水性繊維および吸水性材料とホットメルト接着剤により接合されて、親水性繊維の型崩れ、および、吸水性材料の脱落（特に、吸水後における脱落）を防止する。本実施の形態では、吸収コア２２はパルプ繊維およびＳＡＰを含む。
【００３２】
バックシート２３としては、疎水性繊維にて形成された撥水性または不透液性の不織布（例えば、スパンボンド不織布やメルトブロー不織布、ＳＭＳ（スパンボンド・メルトブロー・スパンボンド）不織布）や、撥水性または不透液性のプラスチックフィルム、あるいは、これらの不織布とプラスチックフィルムとが積層された積層シートが利用され、バックシート２３に到達した排泄物の水分等が、本体部２の外側にしみ出すことが防止される。バックシート２３にプラスチックフィルムが利用される場合、使い捨ておむつ１のムレを防止して着用者の快適性を向上するという観点からは、透湿性（通気性）を有するプラスチックフィルムが利用されることが好ましい。
【００３３】
サイドシート本体３１としては、疎水性繊維にて形成された撥水性または不透液性の不織布（例えば、スパンボンド不織布やメルトブロー不織布、ＳＭＳ不織布）が利用される。弾性部材３２ａ，３２ｂ，２５としては、例えば、ポリウレタン糸、帯状のポリウレタンフィルム、糸状または帯状の天然ゴム等が利用され、本実施の形態では、ポリウレタン糸が各弾性部材として利用される。
【００３４】
図４は、一対の接続部４のうち一方の接続部４近傍を拡大して示す図であり、他方の接続部４の構造も図４に示すものと同様である。一対の接続部４はそれぞれ、本体部２の長手方向（すなわち、図１および図４中の上下方向であり、以下、「本体長手方向」ともいう。）に配列されて左右方向に伸びる２つの止着テープ４１、および、２つの止着テープ４１の左右方向の内側（すなわち、本体部２側）に位置する略矩形の共通基部４２を備える。２つの止着テープ４１の構造および形状は同様であり、各止着テープ４１の左右方向の長さは、共通基部４２の本体部２から露出している部位の左右方向の長さよりも長い。
【００３５】
各接続部４では、２つの止着テープ４１のそれぞれが、左右方向に伸びるテープ状のテープ基部４１３、並びに、テープ基部４１３を本体長手方向に横断するようにテープ基部４１３の一方の主面４１４（すなわち、図４中における手前側の面）上に設けられる第１止着部４１１および第２止着部４１２を備える。図４では、図の理解を容易にするために、第１止着部４１１および第２止着部４１２に平行斜線を付す。テープ基部４１３の主面４１４は、使い捨ておむつ１を着用者に装着する際に本体部２の前方部２０１（図３参照）に対向する面であり、以下、「内面４１４」という。テープ基部４１３の内面４１４では、第２止着部４１２が第１止着部４１１から中間領域４１５を介して本体部２側に離間して配置される。
【００３６】
第１止着部４１１および第２止着部４１２はそれぞれ、本体部２の前方部２０１の外面に設けられた被止着部２６（図３参照）に対して止着可能な面ファスナのフック部材であり、テープ基部４１３の内面４１４上にホットメルト接着剤等により接合される。第１止着部４１１および第２止着部４１２はそれぞれ、樹脂等により形成されたベースシート、および、ベースシートのテープ基部４１３に接合される面とは反対側の面に設けられる微細フック構造を有する。第１止着部４１１および第２止着部４１２にそれぞれ設けられた微細フック構造は、多数の微細なフック要素の集合であり、被止着部２６の微細ループ構造と互いに係合する（すなわち、被止着部２６に対して止着可能である。）。
【００３７】
各接続部４では、２つの止着テープ４１の２つのテープ基部４１３、および、共通基部４２は樹脂等により形成された１つの接続部シート４０の一部であり、２つのテープ基部４１３はそれぞれ、共通基部４２から左右方向の外側（すなわち、本体部２とは反対側）に向かって突出する。また、共通基部４２の内端部（接続部シート４０の内端部でもある。）は、本体部２のサイドシート３とバックシート２３との間に挟まれて接合され、共通基部４２の内端部以外の部位は、本体部２から左右方向の外側に向かって突出する。
【００３８】
換言すれば、２つのテープ基部４１３は、本体部２側にて連続する１つの接続部シート４０の一部であり、接続部シート４０における２つのテープ基部４１３の接続部分である共通基部４２は、本体部２の側方のエッジから側方へとはみ出している。なお、トップシート２１（図２参照）の外縁がバックシート２３の外縁に比較的近い位置に位置している場合には、共通基部４２の内端部は、トップシート２１とバックシート２３との間に接合されてもよい。
【００３９】
各接続部４では、２つの止着テープ４１のそれぞれの幅（すなわち、図４中の上下方向である本体長手方向におけるテープ基部４１３の長さ）が、テープ基部４１３の先端である左右方向の外側の端部に向かうに従って漸次減少する。各止着テープ４１では、第１止着部４１１および第２止着部４１２はそれぞれ、テープ基部４１３の幅方向（本体長手方向に一致する方向であり、以下、「テープ幅方向」という。）の全体に亘ってテープ基部４１３上に設けられる。また、第２止着部４１２は、共通基部４２の外エッジ４２１よりも左右方向の外側に位置し、共通基部４２から離間している。
【００４０】
以下、テープ基部４１３における第２止着部４１２の本体部２側のエッジである内エッジ４１２２と共通基部４２の外エッジ４２１との間の部位を「内側領域４１６」という。また、テープ基部４１３における第１止着部４１１の外エッジ４１１１（すなわち、テープ基部４１３の先端側のエッジ）よりも外側の部位を「外側領域４１７」という。中間領域４１５、内側領域４１６および外側領域４１７には、上述のフック部材は設けられない。
【００４１】
各止着テープ４１では、第１止着部４１１の外エッジ４１１１と第２止着部４１２の内エッジ４１２２との間の左右方向の距離Ｌ１は、第１止着部４１１と第２止着部４１２との間の領域である中間領域４１５におけるテープ基部４１３のテープ幅方向の幅Ｗ１（本実施の形態では、中間領域４１５の左右方向の中央における幅を指すものとする。）よりも大きい。また、中間領域４１５の左右方向の長さＬ２（すなわち、第１止着部４１１の内エッジ４１１２と第２止着部４１２の外エッジ４１２１との間の左右方向の距離）は、中間領域４１５におけるテープ基部４１３の幅Ｗ１の２５％以上であることが好ましく、より好ましくはＷ１以上である。
【００４２】
上述のように、各接続部４における２つの止着テープ４１の構造および形状は同様であるため、一方の止着テープ４１におけるＬ１は他方の止着テープ４１におけるＷ１よりも大きく、好ましくは、一方の止着テープ４１におけるＬ２は他方の止着テープ４１におけるＷ１の２５％以上（より好ましくは、Ｗ１以上）である。本実施の形態では、各止着テープ４１におけるＬ２はそれぞれＷ１に等しい。また、各止着テープ４１におけるＬ１はＬ２のおよそ１６０％であり、第１止着部４１１および第２止着部４１２のそれぞれの左右方向の長さ（幅）はＬ２のおよそ３０％である。
【００４３】
各接続部４では、接続部シート４０が白色の樹脂材料により形成されており、第１止着部４１１および第２止着部４１２が白色以外の有色の樹脂材料により形成されている。このため、２つの止着テープ４１のそれぞれにおいて、テープ基部４１３の内面４１４における第１止着部４１１および第２止着部４１２の視認が容易になるとともに、テープ基部４１３の外面からテープ基部４１３を透かして第１止着部４１１および第２止着部４１２の位置が視認可能となっている。
【００４４】
使い捨ておむつ１では、各止着テープ４１が、左右方向に離間する第１止着部４１１および第２止着部４１２により被止着部２６（図３参照）に止着されるため、止着テープ４１が着用者の動作に追従して容易に変形する。その結果、止着テープ４１が着用者の動作等により被止着部２６から剥離してしまうことが抑制される。
【００４５】
使い捨ておむつ１が着用者の体型に対して大きい等の場合には（例えば、通常の着用者よりも痩せている着用者に対して使い捨ておむつ１が装着される際には）、各接続部４において、本体長手方向に配列された２つの止着テープ４１のうち一方の止着テープ４１が被止着部２６に止着された後、他方の止着テープ４１が一方の止着テープ４１を跨ぐように被止着部２６に止着される。本実施の形態では、各接続部４において、図５中の上側に位置する止着テープ（以下、「第１止着テープ４１ａ」という。）が、先端を斜め下に向けて被止着部２６に止着され、図５中の下側に位置する止着テープ（以下、「第２止着テープ４１ｂ」という。）が、先端を斜め上に向けて第１止着テープ４１ａ上に重なった状態で被止着部２６に止着される。これにより、本体部２の長手方向の両端部において前方部２０１および後方部２０３が着用者の腰周りにフィットするとともに、本体部の両側端部が着用者の両脚の付け根近傍にフィットする。
【００４６】
図６は、一対の接続部４のうち一方の接続部４近傍を拡大して示す図である。図６に示すように、被止着部２６上では、第１止着テープ４１ａと第１止着テープ４１ａの上に重なる第２止着テープ４１ｂとがおよそ垂直に交差する。すなわち、第１止着テープ４１ａの左右方向に伸びる中心線４１９ａと第２止着テープ４１ｂの左右方向に伸びる中心線４１９ｂとの為す角度θがおよそ９０°となるように第１止着テープ４１ａと第２止着テープ４１ｂとが交差する。第１止着テープ４１ａの中間領域４１５は、第２止着テープ４１ｂの中間領域４１５と重なっており、第２止着テープ４１ｂの中間領域４１５の両側に配置された第１止着部４１１および第２止着部４１２が、第１止着テープ４１ａのテープ幅方向の両側において（すなわち、第１止着テープ４１ａを跨いで）被止着部２６に止着される。図６では、図の理解を容易にするために、第１止着部４１１および第２止着部４１２に平行斜線を付す。
【００４７】
使い捨ておむつ１では、使い捨ておむつ１を装着する際の取り扱いを容易にするために、あるいは、使い捨ておむつ１の製造を容易にするために、第１止着テープ４１ａおよび第２止着テープ４１ｂの長さがある程度の大きさ以下に制限され、その結果、各止着テープにおける第１止着部４１１の外エッジ４１１１と第２止着部４１２の内エッジ４１２２との間の距離Ｌ１（図４参照）にも上限が設けられる。接続部４では、止着テープの重ね止めの際に第１止着テープ４１ａの上に重なる第２止着テープ４１ｂにおいて、第１止着部４１１と第２止着部４１２との間にフック部材が接合されない中間領域４１５を設けることにより、止着部（すなわち、第１止着部４１１および第２止着部４１２）の合計面積を小さくすることができる。これにより、使い捨ておむつ１の製造コストを低減することができる。
【００４８】
また、第２止着テープ４１ｂの第１止着部４１１の外エッジ４１１１と第２止着部４１２の内エッジ４１２２との間の距離Ｌ１を、第１止着テープ４１ａの中間領域４１５におけるテープ基部４１３の幅Ｗ１（図４参照）よりも大きくすることにより、第１止着テープ４１ａと第２止着テープ４１ｂとの重ね止めの際に、第２止着テープ４１ｂの第１止着部４１１および第２止着部４１２のそれぞれの少なくとも一部を、第１止着テープ４１ａに重ねることなく前方部２０１の被止着部２６に容易に止着することができる。その結果、使い捨ておむつ１を着用者に対してフィットさせることができる。
【００４９】
使い捨ておむつ１では、第１止着テープ４１ａにおいても、第２止着テープ４１ｂと同様に、第１止着部４１１と第２止着部４１２との間にフック部材が接合されない中間領域４１５を設けることにより、第１止着部４１１と第２止着部４１２との合計面積を小さくすることができる。また、使い捨ておむつ１を着用者に装着する際に、第２止着テープ４１ｂを被止着部２６に止着した後に第１止着テープ４１ａを第２止着テープ４１ｂ上に重ねて被止着部２６に止着する場合においても、第１止着テープ４１ａの第１止着部４１１および第２止着部４１２の少なくとも一部が、第２止着テープ４１ｂと重なることなく被止着部２６に止着される。
【００５０】
使い捨ておむつ１では、各止着テープ４１において、第１止着部４１１の外エッジ４１１１の上端と第２止着部４１２の内エッジ４１２２の下端との間の距離が、好ましくは中間領域４１５の幅Ｗ１以上である。これにより、止着テープ４１の重ね止めの際に、上に重なる止着テープ４１の第１止着部４１１および第２止着部４１２のそれぞれの少なくとも一部を、前方部２０１の被止着部２６により容易に止着することができる。
【００５１】
接続部４では、第２止着テープ４１ｂの中間領域４１５の長さＬ２（図４参照）が、第１止着テープ４１ａの中間領域４１５の幅Ｗ１以上とされることにより、第２止着テープ４１ｂを第１止着テープ４１ａ上に重ねて被止着部２６に止着する際に第２止着テープ４１ｂの止着に利用されない可能性が高い部位（すなわち、第１止着テープ４１ａ上に重なる部位）に止着部が設けられることを抑制して止着部の合計面積をより小さくすることができる。また、第１止着テープ４１ａの中間領域４１５の長さＬ２が、第２止着テープ４１ｂの中間領域４１５の幅Ｗ１以上とされることにより、第１止着テープ４１ａを第２止着テープ４１ｂ上に重ねて被止着部２６に止着する際に第１止着テープ４１ａの止着に利用されない可能性が高い部位（すなわち、第２止着テープ４１ｂ上に重なる部位）に止着部が設けられることを抑制して止着部の合計面積をより小さくすることができる。
【００５２】
使い捨ておむつ１では、各止着テープ４１において、第１止着部４１１の内エッジ４１１２の上端と第２止着部４１２の外エッジ４１２１の下端との間の距離が、好ましくは中間領域４１５の幅Ｗ１以上である。これにより、止着テープ４１の重ね止めの際に、上に重なる止着テープ４１の止着に利用されない可能性が高い部位に止着部が設けられることを抑制して止着部の合計面積をより小さくすることができる。
【００５３】
接続部４における止着テープの重ね止めの際には、第１止着テープ４１ａの中心線４１９ａと第２止着テープ４１ｂの中心線４１９ｂとの為す角度θは必ずしもおよそ９０°には限定されず、例えば、角度θ（すなわち、中心線４１９ａと中心線４１９ｂとの交点から第１止着テープ４１ａおよび第２止着テープ４１ｂの先端にそれぞれ向かう中心線４１９ａ，４１９ｂが為す角度）が３０°以上９０°以下となるように、第１止着テープ４１ａと第２止着テープ４１ｂとが重ねられてもよい。
【００５４】
接続部４では、第２止着テープ４１ｂの中間領域４１５の長さＬ２が、第１止着テープ４１ａの中間領域４１５の幅Ｗ１の２５％以上とされる場合であっても、第２止着テープ４１ｂを第１止着テープ４１ａ上に重ねて被止着部２６に止着する際に、通常の止着作業における角度θの範囲において、第２止着テープ４１ｂの止着に利用されない可能性が高い部位に止着部が設けられることをある程度抑制することができ、止着部の合計面積を小さくすることができる。
【００５５】
また、第１止着テープ４１ａの中間領域４１５の長さＬ２が、第２止着テープ４１ｂの中間領域４１５の幅Ｗ１の２５％以上とされる場合は、第１止着テープ４１ａを第２止着テープ４１ｂ上に重ねて被止着部２６に止着する際に、通常の止着作業における角度θの範囲において第１止着テープ４１ａの止着に利用されない可能性が高い部位に止着部が設けられることをさらに抑制することができる。その結果、止着部の合計面積をより小さくすることができる。
【００５６】
接続部４では、第１止着テープ４１ａおよび第２止着テープ４１ｂのそれぞれの幅が、テープ基部４１３の先端に向かうに従って漸次減少する。このため、止着テープの重ね止めの際に、後から止着される止着テープ（すなわち、他方の止着テープ上に重ねて被止着部２６に止着される止着テープ）の第１止着部４１１を、先に止着された止着テープを避けて被止着部２６に容易に止着することができる。その結果、後から被止着部２６に止着される止着テープの先端部を被止着部２６に強固に止着することができる。
【００５７】
接続部４では、第１止着テープ４１ａおよび第２止着テープ４１ｂの２つのテープ基部４１３が本体部２側にて連続する１つの接続部シート４０の一部であり、第１止着テープ４１ａおよび第２止着テープ４１ｂの第２止着部４１２が、接続部シート４０の共通基部４２よりも左右方向の外側に位置する。このため、第１止着テープ４１ａおよび第２止着テープ４１ｂの根本部分（すなわち、第２止着部４１２と共通基部４２との間の部位）の剛性が過剰に大きくなることが防止され、第１止着テープ４１ａおよび第２止着テープ４１ｂを根本部分にて容易に変形することができる。その結果、第１止着テープ４１ａと第２止着テープ４１ｂとの重ね止めを容易に行うことができる。また、共通基部４２が本体部２の側方エッジから側方へとはみ出しているため、共通基部４２を変形させて第１止着テープ４１ａと第２止着テープ４１ｂとを容易に近づけることができる。その結果、第１止着テープ４１ａと第２止着テープ４１ｂとの重ね止めをより容易に行うことができる。
【００５８】
さらに、第１止着テープ４１ａおよび第２止着テープ４１ｂにおいて、第１止着部４１１および第２止着部４１２の位置がテープ基部４１３の外面から視認可能であることにより、第１止着テープ４１ａと第２止着テープ４１ｂとの重ね止めの際に、２つの止着テープの中間領域４１５の重複面積を容易に大きくすることができる。換言すれば、後から被止着部２６に止着される止着テープの第１止着部４１１および第２止着部４１２が、先に止着された止着テープと広い範囲に亘って重なってしまうことを防止することができる。その結果、後から被止着部２６に止着される止着テープを被止着部２６に強固に止着することができる。
【００５９】
上述の使い捨ておむつ１では、各止着テープにおいて、第１止着部４１１の被止着部２６に対する単位面積当たりの止着強度は、第２止着部４１２の被止着部２６に対する単位面積当たりの止着強度に等しく、また、第１止着部４１１の左右方向の幅は第２止着部４１２の左右方向の幅に等しい。このため、１つの長尺状のフック部材により第１止着部４１１および第２止着部４１２を形成することができ、接続部４の製造を簡素化することができる。
【００６０】
本発明に係る使い捨ておむつの他の例では、第１止着部４１１の被止着部２６に対する止着強度は、第２止着部４１２の被止着部２６に対する止着強度よりも大きい。使い捨ておむつでは、止着テープのテープ基部４１３が着用者の衣服に引っかかった場合等、止着テープを剥離する方向の力が加えられた際に、テープ基部４１３の先端に近い第１止着部４１１に第２止着部４１２よりも大きい力が加わることが多い。そこで、上述のように、第１止着部４１１の被止着部２６に対する止着強度を、第２止着部４１２の被止着部２６に対する止着強度よりも大きくすることにより、止着テープの意図しない剥離を抑制することができる。
【００６１】
第１止着部４１１および第２止着部４１２の被止着部２６に対する止着強度の差は、例えば、第１止着部４１１の面積を第２止着部４１２の面積よりも大きくすることにより実現されてもよく、あるいは、第２止着部４１２よりも被止着部２６に対する単位面積当たりの止着強度が大きいフック部材が第１止着部４１１として利用されることにより実現されてもよい。
【００６２】
以上、本発明の実施の形態について説明してきたが、本発明は上記実施の形態に限定されるものではなく、様々な変更が可能である。
【００６３】
例えば、各止着テープ４１の第１止着部４１１および第２止着部４１２が面ファスナのループ部材とされ、本体部２の前方部２０１に設けられた被止着部２６が面ファスナのフック部材とされてもよい。また、各止着テープ４１では、テープ基部４１３の内面４１４に微細フック構造や微細ループ構造が直接形成されて第１止着部４１１および第２止着部４１２とされてもよく、本体部２では、前方部２０１の外面に微細フック構造や微細ループ構造が直接形成されて被止着部２６とされてもよい。換言すれば、使い捨ておむつ１では、互いに係合する微細フック構造および微細ループ構造のうち一方が本体部２の前方部２０１に形成され、他方が各止着テープ４１の第１止着部４１１および第２止着部４１２のそれぞれに形成される。これにより、止着テープ４１を被止着部２６に強固に止着することができる。また、第１止着部４１１および第２止着部４１２に微細フック構造が形成され、被止着部２６に微細ループ構造が形成されることにより、比較的面積が大きい被止着部２６が製造時や装着時に使い捨ておむつ１の他の部位等に引っかかることが防止され、使い捨ておむつ１の製造や装着を容易とすることができる。
【００６４】
使い捨ておむつ１では、各止着テープ４１の第１止着部４１１および第２止着部４１２に必ずしも微細フック構造や微細ループ構造が形成される必要はなく、例えば、第１止着部４１１および第２止着部４１２が、不織布製のテープ基部４１３上に粘着材料により形成された粘着層であり、被止着部２６が当該粘着層が粘着可能なプラスチックフィルムであってもよい。
【００６５】
各止着テープ４１では、例えば、テープ基部４１３の外面に第１止着部４１１および第２止着部４１２の位置を示す目印が印刷されることにより、テープ基部４１３の外面から第１止着部４１１および第２止着部４１２の位置が視認可能とされてもよい。
【００６６】
各接続部４では、必ずしも共通基部４２が設けられる必要はなく、２つの止着テープ４１のそれぞれのテープ基部４１３の端部が本体部２に直接接合されてもよい。また、各止着テープ４１のそれぞれの幅は、例えば、テープ基部４１３の左右方向のおよそ全長に亘って一定であってもよい。
【符号の説明】
【００６７】
１  使い捨ておむつ
２  本体部
４  接続部
２６  被止着部
４０  シート
４１  止着テープ
４１ａ  第１止着テープ
４１ｂ  第２止着テープ
２０１  前方部
２０２  股下部
２０３  後方部
４１１  第１止着部
４１２  第２止着部
４１３  テープ基部
４１４  内面
４１１１  外エッジ
４１２２  内エッジ
Ｌ１  距離
Ｌ２  長さ
Ｗ１  幅
【図１】
2011147711.tif 000003
【図２】
2011147711.tif 000004
【図３】
2011147711.tif 000005
【図４】
2011147711.tif 000006
【図５】
2011147711.tif 000007
【図６】
2011147711.tif 000008